(57)【特許請求の範囲】
【請求項１】
差込部分と、該差込部分に連設する幅広部分と、該幅広部分に連設すると共に開口を有する環状持ち手部分とから成る金属製鍵と、該金属製鍵に取外し可能に装着する合成樹脂製収納ケースとから成る携帯型キー装置であって、前記合成樹脂製収納ケースは、前記環状持ち手部分の一部を残して該環状持ち手部分及び前記幅広部分に外嵌合すると共に、前記開口に位置する後端部側の突壁状部分の左右部位に前記環状持ち手部分貫通用の切欠を有する一側面側ケースと、前記開口に位置する前記一側面側ケースの内壁面に取外し可能に設けられたチップ状の電子部品と、この電子部品をカバーすると共に、前記環状持ち手部分の一部を露出させた状態で前記一側面側ケースと一体的に結合する他側面ケースとから成り、前記突壁状部分と前記一側面側ケースの前記環状持ち手部分貫通用の切欠を貫通した該環状持ち手部分の一部の内周面との間にはキーホルダ用の係合孔が存在し、さらに、前記他側面ケースと前記一側面側ケースとを分離した場合には、前記金属製鍵又は前記電子部品を有する合成樹脂製収納ケースは、それぞれ単独で使用することができる携帯型キー装置。
【請求項２】
請求項１に於いて、金属製鍵は環状持ち手部分貫通用切欠の部位に係止されていることを特徴とする携帯型キー装置。
【発明の詳細な説明】
【技術分野】
【０００１】
本発明は、電波信号（無線方式）で、錠前を施・解錠することができる携帯型キー装置に関する。
【背景技術】
【０００２】
この種の携帯型キー装置として、例えば特許文献１や特許文献２に記載のものがある。ここで、特許文献１を例にして、従来の問題点を指摘する。
【０００３】
特許文献１の課題は、モールド成形により把持部を形成する際、電子部品（トランスポンダ）を保持する保持部材に成形圧（樹脂射出圧）が加えられると、保持部材がキープレートの柄部から外れるおそれがあるため、保持部材をキープレートの柄部に対して強固に固定しておくことである。そこで、特許文献１のキー装置は、「モールド成形にてキープレート１の柄部（持ち手部分）１ａを覆うように形成された把持部５に電子部品２を内包してなるキー装置であって、電子部品２を保持する先細り状保持部材４を受容する受容孔３と、キーホルダ用の連結孔１２とが、互いに連通した状態で、柄部１ａに開設されており、保持部材４は、受容孔３の内周縁部に係合される左右の溝１５を有し、幅広の連結孔１２を介して、前記受容孔３の内周縁部の突設した係止部分に前記溝１５をスライドさせながら、前記受容孔３内に圧入することによって、前記柄部１ａに固定される構造」である（符号は特許文献のもの）。
【０００４】
特許文献１に記載の先細り状保持部材４は、キープレート（鍵）１の柄部１ａの受容孔３内に隙間のないように固定的にセットしなければならない。その理由は、把持部５を形成する際、電子部品（トランスポンダ）を保持する保持部材４に成形圧（樹脂射出圧）を加えるからである。そのために、キープレート（鍵）１の柄部１ａ及び保持部材４の両者が強固に合体するように、柄部１ａに形成した受容孔３と連結孔１２とを連通する連通口１３が、保持部材４をしっかりと係止できるように内側の間隔が狭めように加工する必要がある。
【０００５】
付言すると、モールド成形タイプの携帯型キー装置は、鍵自体１に電子部品２装着用の加工（突起、係合穴、係合溝等）を施す必要があった。また、鍵自体１の柄部１ａを全てモールド成形するものであるから、樹脂製把持部５の後端部に金属製のキーホルダ等を容易に引っ掛けることができなかった。
【０００６】
さらに、鍵自体１又は電子部品２を包む樹脂製把持部５を、それぞれ単独で使用することができない、電子部品２そのものを、携帯電話の「チップ」の如く、交換することができないという問題点もあった。
【０００７】
特許文献２も、キープレート（鍵）１の柄部１ａ乃至差込み部分の一部を加工して電子部品（トランスポンダ）部材を加工部位に固定的にセットするものであるから、特許文献１と同様の問題点があった。
【０００８】
そこで、現在、少なくとも、（ａ）鍵自体に電子部品装着用の加工（突起、係合穴、係合溝等）を施す必要がない。（ｂ）電子部品収納ケースを貫いた金属製鍵自体の摘み部分の後端部に、金属製のキーホルダ等を容易に引っ掛けることができる、という課題を解決することができる携帯型キー装置の出現が望まれる。
【先行技術文献】
【特許文献】
【０００９】
【特許文献１】特許第３６２８４３０号公報
【特許文献２】特開２００８−５４９１３号公報
【発明の概要】
【発明が解決しようとする課題】
【００１０】
本願発明は、キープレート（鍵）の柄部（環状持ち手部分）に形成した一つの開口（キーホルダー用の孔）に、（ａ）合成樹脂製収納ケースを介して無線方式の電子部品を収納させる機能、（ｂ）キーホルダのキーリングを掛合させる機能を付与することによって、（ｃ）鍵自体に電子部品装着用の加工（突起、係合穴、係合溝等）を施す必要がない、（ｄ）電子部品収納ケースを貫いた金属製鍵自体の柄部（環状持ち手部分）の一部に、金属製のキーホルダのキーリングを容易に引っ掛けることができること、さらに、（ｅ）鍵に対して、いわば着せ替えの如く、色彩・形状等の好みにあった電子部品収納ケースを装着することができること、（ｆ）鍵又は電子部品収納ケースを、それぞれ単独で使用することができること（ｇ）電子部品の形態が単純なほど、電子部品そのものを、携帯電話の「チップ」の如く、交換することができることを所期の目的とする。また本願発明の第２の目的は、鍵が電子部品収納ケースから抜けないことである。
【課題を解決するための手段】
【００１１】
本発明の携帯型キー装置は、差込部分と、該差込部分に連設する幅広部分と、該幅広部分に連設すると共に開口を有する環状持ち手部分とから成る金属製鍵と、該金属製鍵に取外し可能に装着する合成樹脂製収納ケースとから成る携帯型キー装置であって、前記合成樹脂製収納ケースは、前記環状持ち手部分の一部を残して該環状持ち手部分及び前記幅広部分に外嵌合すると共に、前記開口に位置する後端部側の突壁状部分の左右部位に前記環状持ち手部分貫通用の切欠を有する一側面側ケースと、前記開口に位置する前記一側面側ケースの内壁面に取外し可能に設けられた交換可能なチップ状の電子部品と、この電子部品をカバーすると共に、前記環状持ち手部分の一部を露出させた状態で前記一側面側ケースと一体的に結合する他側面ケースとから成り、前記突壁状部分と前記一側面側ケースの前記環状持ち手部分貫通用の切欠を貫通した該環状持ち手部分の一部の内周面との間にはキーホルダ用の係合孔が存在し、さらに、前記他側面ケースと前記一側面側ケースとを分離した場合には、前記金属製鍵又は前記電子部品を有する合成樹脂製収納ケースは、それぞれ単独で使用することができることを特徴とする。
【００１２】
上記構成に於いて、金属製鍵は環状持ち手部分貫通用切欠の部位に係止されていることを特徴とする。
【発明の効果】
【００１３】
（ａ）キープレートの柄部（環状持ち手部分）に形成した開口に、合成樹脂製収納ケースを介して無線方式の電子部品を収納させる機能と、キーホルダのキーリングを掛合させる機能をそれぞれ持たせることによって、鍵に電子部品装着用の加工（突起、係合穴、係合溝等）を施す必要がない。また電子部品収納ケースを貫いた金属製鍵自体の柄部の一部（例えば後端部、左右の部位、左部位、右部位等）に、金属製のキーホルダのキーリングを容易に引っ掛けることができる。また鍵に対して、いわば着せ替えの如く、色彩・形状等の好みにあった電子部品収納ケースを装着することができる。また金属製鍵又は電子部品収納ケースを、それぞれ単独で使用することができる。さらに、電子部品の形態が単純なほど、電子部品そのものを、携帯電話の「チップ」の如く、交換することができる。
（ｂ）請求項２に記載の発明は、鍵が電子部品収納ケースから抜けない利点がある。
【図面の簡単な説明】
【００１４】
図１乃至図８は本発明の第１実施形態を示す各説明図。図９乃至図１４は本発明の第２実施形態を示す各説明図。図１５及び図１６は本発明の第３実施形態を示す各説明図。図１７及び図１８は本発明の第４実施形態を示す各説明図。
【図１】第１実施形態の斜視図。
【図２】正面図。
【図３】左側面図。
【図４】図２の４−４線に基づく概略断面説明図。
【図５】鍵の正面図。
【図６】図５の６−６線に基づく断面図。
【図７】分解斜視図（鍵は仮想線）。
【図８】鍵に一側面側ケースを外嵌合させた、或は一側面側ケースに鍵を内嵌合させた状態の概略説明図。
【図９】第２実施形態の斜視図。
【図１０】第２実施形態の正面図。
【図１１】図１０の１１−１１線に基づく概略断面説明図。
【図１２】鍵の正面図。
【図１３】分解斜視図（鍵は仮想線）。
【図１４】鍵に一側面側ケースを外嵌合させた、或は一側面側ケースに鍵を内嵌合させた状態の概略説明図。
【図１５】第３実施形態の正面図。
【図１６】鍵に一側面側ケースを外嵌合させた、或は一側面側ケースに鍵を内嵌合させた状態の概略説明図。
【図１７】第４実施形態の正面図。
【図１８】鍵に一側面側ケースを外嵌合させた、或は一側面側ケースに鍵を内嵌合させた状態の概略説明図。
【発明を実施するための最良の形態】
【００１５】
（１）環境部材…無線方式の電子部品
無線方式の電子部品を備えた携帯型キー装置は、例えば建具の扉に取り付けられた電気錠を解錠する際、自動車のドアを解錠する際やイグニッションスイッチ操作用として使用されている。本発明の携帯型キー装置の用途も同様である。
【００１６】
さて、「トランスポンダ」と称される電子部品の一種は、例えばガラス管等にコイルアンテナとコード信号発信回路とを封入した単純な形態となっている。コイルアンテナは、周知の如く、キーシリンダのキー孔を外囲するように設けられたキーシリンダ側コイルとの間で、電波信号の授受を行うものである。
【００１７】
すなわち、キーシリンダ側のコイルから電波が発信され、この電波をトランスポンダのコイルアンテナが受信すると、電磁誘導作用によってコイルアンテナに起電力が生じ、この電力がコード信号発信回路に供給されて、予め記憶されている固有コードに応じた電波信号が、コイルアンテナから発信され、該コイルアンテナから発信された固有コード信号は、キーシリンダ側のコイルで受信され、予め記憶されている暗証コードと比較照合され、互いのコードが一致したならば、正規のキーであると判断して、錠前の解錠やエンジンの作動を可能にする。
【００１８】
（２）本発明の前提要件
本発明の携帯型キー装置は、特許文献１の記載の発明と同様に、柄部（環状持ち手部分）５に開口（孔）４を有するキープレート（以下、「鍵」という。）１と、無線方式（呼応可能）の電子部品２０と、前記柄部５の一部（幅広部分に連設する内側）５ａ等をカバーする合成樹脂製収納ケース１１とから成ることを前提要件とする。
【００１９】
そして、前記合成樹脂製収納ケース１１は、一側面側ケース１２と、他側面側ケース１３との結合から成ると共に、前記電子部品２０を固定的に内装する。また前記鍵１は、「ブレード」と称される差込み部分２と、該差込み部分に連設する幅広部分３と、該幅広部分に連設すると共に、前記合成樹脂製収納ケース１１の突壁状部分１２ｂから貫通状態に突出すると共に、鍵１の幅方向又は長手方向のいずれかが長孔（キーホルダ用の係合孔）４ｂを形成する後述する環状持ち手部分５の後端部側５ｂとから成る。
【００２０】
（３）主要部
以下、図面を参照に詳細に説明する。図１は第１実施形態の斜視図である。図７は分解斜視図（鍵は仮想線）である。そして、図８は鍵１に一側面側ケース１２を外嵌合させた、或は一側面側ケース１２に鍵１を外嵌合させた状態の概略説明図である。これらの図から明らかなように、本発明の携帯型キー装置Ｘは、金属製鍵１と、該鍵１に一体的となる合成樹脂製収納ケース１１と、該合成樹脂製収納ケースに固定的に収納された無線方式の電子部品２０とから成る。
【００２１】
（４）鍵１
携帯型キー装置Ｘは、例えば図５で示すように、普通一般に日常的に使用されている建具用鍵や自動車用鍵と略（おおよそ）同一の大きさである。ただ、本発明の携帯型キー装置Ｘの鍵１が普通一般の建具用鍵等と異なる点は、鍵１の形状が、例えばビールの栓抜きのような特殊な形態をしている点、鍵１の柄部（環状持ち手部分）５が環状に形成され、該環状内の孔は比較的大きな一つの真円形状或は楕円形状の開口４である点である。
【００２２】
付言すると、鍵１は、差込部分２と、該差込部分に連設する幅広部分３と、該幅広部分に連設すると共に所定形状の一つの大きな開口４を有する環状持ち手部分５とから成る。差込部分２は、特に図示しないが、その平面部に有底で複数種類の大きさと深さを有する摺り鉢形の窪み有し、或は平面部の側端部にギザギザ刻みを有する。また幅広部分３は、差込部分２の根元部分に相当する左右の括れ部６、６から環状持ち手部分５の弧状先端部（内側）５ａに至る湾曲状部分までの範囲であり、この実施形態では、前記左右の括れ部６から前記弧状先端部（内側）５ａに至るにしたがって幅広になっている。
【００２３】
ところで、幅広部分３の先端部側（括れ部６側）は、図示しない錠前のシリンダに差込部分２を差し込むと、シリンダの前面と当接する。さらに、前記環状持ち手部分５は、一つの真円状開口４を形成する円形のリング形状となっている。なお、環状持ち手部分５の弧状先端部（内側）５ａと幅広部分３の湾曲状後端部の境目は、視覚上段差状に識別できる形状でも良いし、又は判然と識別できない形状であっても良い。
【００２４】
（５）合成樹脂製収納ケース１１
合成樹脂製収納ケース１１は、前述したように、一側面側ケース１２と他側面側ケース１３との結合から成ると共に、前記電子部品２０を固定的に内装する。図１では、電子部品２０を仮想線で示してある。また図４は、図２の４−４線に基づく概略断面説明図である。これらの図から明らかなように、本実施形態の合成樹脂製収納ケース１１は、オス・メス係合手段２５、或いは固着手段２６を介して鍵１の差込み部分２以外の被装着部位３、５ａに取り外し可能に取り付けられている。
【００２５】
すなわち、合成樹脂製収納ケース１１は、例えば図１、図７、図８等で示すように、鍵１の環状持ち手部分５の後端部側５ｂを残して該環状持ち手部分５の前記幅広部分側５ａ及び幅広部分３に外嵌合する扁平枠状の一側面側ケース１２と、この一側面側ケース１２の鍵１の前記環状持ち手部分５の開口４内に位置する幅広平坦壁の幅広内壁面１２ａに突壁状保持部１８を介して取外し可能に設けられたチップ状の電子部品２０と、この電子部品２０をカバーすると共に、前記環状持ち手部分５の後端部側５ｂを露出させた状態で前記一側面側ケース１２とオス・メス係合手段２５（２５ａ、２５ｂ）又は／及び固着手段２６（２６ａ、２６ｂ）を介して一体的に結合する扁平枠状の他側面ケース１３とから成り、前記一側面側ケース１２と他側面ケース１３とを結合した合成樹脂製収納ケース１１の前記開口４に位置する後端面と前記金属製鍵の環状持ち手部分の後端部側の内周面との間には、キーホルダ用の係合孔４ｂが存在する。
【００２６】
本実施形態では、図７で示すように、扁平枠状の一側面側ケース１２は、幅広平坦壁の幅広内壁面１２ａの縁部から直交方向へと突出する突壁状部分１２ｂ及び左右の突壁状側壁１２ｃ、１２ｃをそれぞれ有するが、前記突壁状部分１２ｂには、環状持ち手部分５の後端部側５ｂ貫通用の狭い切欠１４、１４が左右一対形成され、一方、前記左右の突壁状側壁１２ｃ、１２ｃの間には、鍵１の幅広部分３が嵌合する幅広切欠１５となっており、前記金属製鍵１は、前記狭い切欠１４、１４の縁部と、前記左右の突壁状側壁１２ｃ、１２ｃの先端面の縁部にそれぞれ係止されている。
【００２７】
そして、真円状の開口４は、図８で示すように、鍵１に一側面側ケース１２を外嵌合させた、或は一側面側ケース１２に鍵１を内嵌合させた状態では、一側面側ケース１２の弧状の突壁状先端面１２ｂを基準として、鍵１の内側環状持ち手部分（先端部側の弧状部位）５ａと弧状の突壁状先端面１２ｂの間に相当する電子部品収納孔４ａと、鍵１の外側環状持ち手部分（後端部側の弧状部位）５ｂと前記弧状の突壁状先端面１２ｂの間に相当する半月状のキーホルダ用係合孔４ｂに区画される。付言すると、真円状の開口４は、本発明の目的との関係で二つの機能を有している。
【００２８】
ところで、前述したオス・メス係合手段２５は、実施形態では、例えば図７で示すように、一側面側ケース１２の弧状の突壁状部分１２ｂの縁部にオス又はメスのいずれかの係合部分２５ａが形成され、これに対応するメス又はオスの係合部分２５ｂが他側面ケース１３の弧状の突壁状先端面１３ｂの縁部に形成されている。また前述した固着手段２６は、図７で示すように、一側面側ケース１２の幅広内壁面１２ａの略中央部に突出形成されたメネジ柱２６ａと、他側面ケース１３の幅広内壁面１３ａの略中央部に形成された不番の貫通小孔と、該貫通小孔を介して前記メネジ柱２６ａに螺着するオネジ２６ｂとから成る。
【００２９】
なお、実施形態の合成樹脂製収納ケース１１は、一側面側ケース１２と他側面側ケース１３に分離可能であり、該成樹脂製収納ケース１１が分離した際には、鍵自体を普通の機械式鍵として単独に使用可能である。
【００３０】
したがって、第１実施形態の携帯型キー装置Ｘは、差込部分２と、該差込部分に連設する幅広部分３と、該幅広部分に連設すると共に開口４を有する環状持ち手部分５とから成る金属製鍵１と、前記環状持ち手部分５の一部（例えば後端部側）５ｂを残して該環状持ち手部分５の前記幅広部分側５ａ及び前記幅広部分３に外嵌合する扁平枠状の一側面側ケース１２と、この一側面側ケースの前記開口４に位置する幅広平坦壁の内壁面１２ａに固定的に設けられた電子部品２０と、この電子部品をカバーすると共に、前記環状持ち手部分５の後端部側５ｂを露出させた状態で前記一側面側ケース１２と一体的に結合する扁平枠状の他側面ケース１３とから成り、前記一側面側ケース１２と他側面ケース１３とを結合した合成樹脂製収納ケース１１の前記開口４に位置する突壁状部分１２ｂと前記金属製鍵１の環状持ち手部分５の後端部側５ａの内周面との間には、キーホルダ用係合孔４ｂが存在する。
【実施例】
【００３１】
本実施形態では、一側面側ケース１２の幅広平坦壁の内壁面１２ａに突壁状保持部１８が設けられ、該突壁状保持部１８に電子部品２０が取外し可能に固定されるが、もちろん、他側面ケース１３の幅広平坦壁１３ａの内壁面に前記突壁状保持部１８を形成しても良い。
【００３２】
次に、図９乃至図１８を参照して、本発明の第２実施形態、第３実施形態及び第４実施形態を説明する。なお、これらの実施形態に於いて、前記第１実施形態と同一の部分には、同一又は同様の符号を付し、重複する説明を省略する。
【００３３】
まず、図９乃至図１４に示す第２実施形態に於いて、前記第１実施形態と主に異なる点は、鍵１Ａの形状である。第１実施形態の鍵１は、図５で示すように普通一般の栓抜き形状に形成され、幅広部分３に連設する環状持ち手部分５の開口４が真円形状（略真円も含む）であるのに対して、この第２実施形態の鍵１Ａは、図１２で示すように、栓抜き形状に変形を施した長板状に形成され、幅広部分３Ａは左右の括れ部分６，６から略同一の幅で環状持ち手部分５Ａの先端部側（内側）へと延在し、該同一幅の幅広部分３Ａに連設する環状持ち手部分５Ａの開口４Ａは、鍵１Ａの長手方向の楕円形状になっている。
【００３４】
付言すると、前記楕円形状の開口４Ａは、鍵１Ａの中心部の長径方向をＹ軸とする方向が長径で、一方、環状持ち手部分５Ａの中心部を通り、かつ前記Ｙ軸と直交する短径方向をＸ軸とする方向が短径の楕円孔であることから、前記環状持ち手部分５Ａの中心部の左右部位ａ、ａは、該環状持ち手部分５Ａのその余の部位（左右部位ａ、ａから離れる後端部の中央部ｂ及び幅広部分に連続する先端部の左右の部位ｃ、ｃ）よりも外方向に膨出している。
【００３５】
そこで、合成樹脂製収納ケース１１Ａは、前記鍵１Ａの形状に対応する形状に形成され、その突壁状部分１２ｂには、環状持ち手部分５の後端部側５ｂ貫通用の狭い切欠１４、１４が左右一対形成され、一方、前記突壁状部分１２ｂと同様に突壁状に形成された左右の突壁状側壁１２ｃ、１２ｃの間には、鍵１Ａの幅広部分３Ａが嵌合する幅広切欠１５となっているものの、金属製鍵１Ａは、前記狭い切欠の縁部１４、１４と、前記左右の突壁状側壁１２ｃ、１２ｃの先端面寄りの部位の内周面にそれぞれ係止されている。なお、その他、突壁状保持部１８の方向、固定手段２６の位置、係合手段２６等を適宜に設計変更しているが、本発明の本質的事項には変更がない。
【００３６】
次に、図１５及び図１６に示す第３実施形態に於いて、前記第１実施形態と主に異なる点は、合成樹脂製収納ケース１１Ｂの形態である。例えば図２と図１５を対比すると明らかなように、合成樹脂製収納ケース１１Ｂの開口４に位置する突壁状部分１２ｂが斜め右上がりに形成されている。したがって、合成樹脂製収納ケース１１Ｂから露出する環状持ち手部分５の一部は、正確な意味での後端部ではなく、環状持ち手部分の後端部から左部位にかけて該合成樹脂製収納ケース１１Ｂから見える部分である。
【００３７】
さらに、図１７及び図１８に示す第４実施形態に於いて、前記第１実施形態と主に異なる点は、合成樹脂製収納ケース１１Ｃの形態である。例えば図２と図１７を対比すると明らかなように、合成樹脂製収納ケース１１Ｃの開口４に位置する突壁状部分１２ｂ、１２ｂが左右に一対存在する。付言すると、この第４実施形態の合成樹脂製収納ケース１１Ｃは、その後端部が環状持ち手部分５の後端中央部に切欠１９を介して外嵌合している。したがって、したがって、この第４実施形態も前記第３実施形態と同様に、合成樹脂製収納ケース１１Ｃから露出する環状持ち手部分５の一部は、正確な意味での後端部ではなく、環状持ち手部分の後端部を基準とする左右の部位であり、その結果、キーホルダ用係合孔４ｂ、４ｂが左右に一対存在する。
【００３８】
それ故に、本発明の携帯型キー装置は、差込部分２と、該差込部分に連設する幅広部分（３、３Ａ）と、該幅広部分に連設すると共に開口（４、４Ａ）を有する環状持ち手部分（５、５Ａ）とから成る金属製鍵（１、１Ａ）と、前記環状持ち手部分の一部を残して該環状持ち手部分及び前記幅広部分に外嵌合する一側面側ケース１２と、この一側面側ケースの前記開口に位置する内壁面に固定的に設けられた電子部品２０と、この電子部品をカバーすると共に、前記一部を露出させた状態で前記一側面側ケースと一体的に結合する他側面ケース１３とから成り、前記一側面側ケース１２と他側面ケース１３を結合した合成樹脂製収納ケース（１１、１１Ａ１１Ｂ、１１Ｃ）の前記開口に位置する突壁状部分１２ｂと前記一部の内周面との間には、キーホルダ用の係合孔４ｂが存在する。そして、合成樹脂製収納ケースには、環状持ち手部分貫通用の切欠（１４、１５、１９）が複数個形成され、金属製鍵は前記狭い切欠に前記環状持ち手部分が嵌合した状態で該合成樹脂製収納ケースから抜けないように係止されていることを特徴とする。
【産業上の利用可能性】
【００３９】
本発明は、錠前を備えた建具、自動車の分野で利用される。
【符号の説明】
【００４０】
Ｘ…携帯型キー装置、１、１Ａ…金属製鍵、２…差込部分、３、３Ａ…幅広部分、４、４Ａ…開口、４ａ…電子部品収納孔、４ｂ…キーホルダ用係合孔、５、５Ａ…環状持ち手部分、５ａ…環状持ち手部分５の先端部側（内側）、５ｂ…環状持ち手部分５の後端部側、６…括れ部分、１１、１１Ａ、１１Ｂ、１１Ｃ…合成樹脂製収納ケース、１２…一側面側ケース、１２ａ…幅広平坦壁の内壁面、１２ｂ…開口に位置する突壁状部分、１３…他側面ケース、１２ｂ…突壁状部分、１４…狭い切欠、１５…幅広切欠、１８…突壁状保持部、１９…切欠、２０…電子部品、２５…係合手段、２６…固定手段。
【図１】
0005862925.tif 000002
【図２】
0005862925.tif 000003
【図３】
0005862925.tif 000004
【図４】
0005862925.tif 000005
【図５】
0005862925.tif 000006
【図６】
0005862925.tif 000007
【図７】
0005862925.tif 000008
【図８】
0005862925.tif 000009
【図９】
0005862925.tif 000010
【図１０】
0005862925.tif 000011
【図１１】
0005862925.tif 000012
【図１２】
0005862925.tif 000013
【図１３】
0005862925.tif 000014
【図１４】
0005862925.tif 000015
【図１５】
0005862925.tif 000016
【図１６】
0005862925.tif 000017
【図１７】
0005862925.tif 000018
【図１８】
0005862925.tif 000019